(57)【要約】      （修正有）【課題】マスクを収納して容易に携帯でき、マスクを衛生的に保つことが可能なマスク携帯ポーチを提供する。【解決手段】マスク携帯ポーチ１は、柔軟かつ薄手の材料からなり、広げた状態で内面の範囲内にマスクＭのマスク本体部Ｍａを配置可能な平面形状を有するポーチ本体部１０と、ポーチ本体部の端部に取り付けられ、マスク本体部が外部に露出しない状態でポーチ本体部がマスクを収納する状態を保つ留め部１２とを備える。【選択図】図１
0003228010.tif 000002
【実用新案登録請求の範囲】
【請求項１】
マスクを収納するマスク携帯ポーチであって、
柔軟かつ薄手の材料からなり、広げた状態で内面の範囲内に前記マスクのマスク本体部を配置可能な平面形状を有するポーチ本体部と、
前記ポーチ本体部の端部に取り付けられ、前記マスク本体部が外部に露出しない状態で前記ポーチ本体部が前記マスクを収納する状態を保つ留め部と、
を備えることを特徴とするマスク携帯ポーチ。
【請求項２】
前記ポーチ本体部には、長手方向の中央位置から若干ずれた位置に前記マスク本体部を潜らせた状態で保持するマスク保持部が設けられていることを特徴とする請求項１に記載のマスク携帯ポーチ。
【請求項３】
前記留め部は、前記ポーチ本体部の一端の穴部を貫くカシメ部材又は１対のドットボタンを含むことを特徴とする請求項１に記載のマスク携帯ポーチ。
【請求項４】
前記ポーチ本体部のうち、少なくとも前記マスク本体部が接触する内面には抗菌加工が施されていることを特徴とする請求項１に記載のマスク携帯ポーチ。
【考案の詳細な説明】
【技術分野】
【０００１】
本考案は、使用者がマスクを収納して持ち運ぶマスク携帯ポーチに関するものである。
【背景技術】
【０００２】
近年、感染症対策等を目的として、使い捨てマスクや布マスクなどの各種マスクを装着する場面が増えてきている。例えば、飲食店などで食事する際などは、使用者が装着中のマスクを一時的に取り外す必要が生じることもある。この場合、取り外したマスクを使用者がそのままバッグやポケットに入れるか、テーブル等に放置することも少なくないが、このような取り扱いの後に再びマスクを装着することは衛生上の問題が生じる。一方、マスクを衛生的に保つために、マスクを収納するための専用の収納ケースや小型バッグなどを用いることも可能である（例えば、特許文献１参照）。
【先行技術文献】
【特許文献】
【０００３】
【特許文献１】実用新案登録第３２２２１０３号公報
【考案の概要】
【考案が解決しようとする課題】
【０００４】
しかしながら、上記従来の収納ケースや小型バッグは、使用者が持ちにくい形状のものも少なくなく、携帯性の面で十分ではなかった。また、使用者がマスクを収納ケースや小型バックに収納する際に煩雑な手作業を要するなど、利便性の面でも十分ではなかった。
【０００５】
本考案はこうした課題を解決するためになされたものであり、使用者がマスクを収納する際、マスクを衛生的な状態に保ちつつ、簡単に収納でき、かつ持ち運びに適したマスク携帯ポーチを提供するものである。
【課題を解決するための手段】
【０００６】
上記課題を解決するために、本考案に係るマスク携帯ポーチは、マスクを収納するマスク携帯ポーチであって、柔軟かつ薄手の材料からなり、広げた状態で内面の範囲内に前記マスクのマスク本体部を配置可能な平面形状を有するポーチ本体部と、前記ポーチ本体部の端部に取り付けられ、前記マスク本体部が外部に露出しない状態で前記ポーチ本体部が前記マスクを収納する状態を保つ留め部とを備えて構成される。
【０００７】
本考案に係るマスク携帯ポーチによれば、使用者がマスクを取り外す際、マスク携帯ポーチを広げた状態でポーチ本体部の範囲内にマスクを容易に位置決めでき、続いて留め部を介してポーチ本体部がマスクを収納する状態を容易に保つことができる。よって、マスクを外部に露出させることなくマスク携帯ポーチに収納できるため衛生的であるとともに、使用者は煩雑な手作業を行うことなくマスクを収納したマスク携帯ポーチを持ち運ぶことができる。
【０００８】
本考案のポーチ本体部には、長手方向の中央位置から若干ずれた位置にマスク本体部を潜らせた状態で保持するマスク保持部を設けることができる。また、本考案の留め部として、例えば、ポーチ本体部の一端の穴部を貫くカシメ部材又は１対のドットボタンを含む構造を採用することができる。
【考案の効果】
【０００９】
本考案によれば、使用者が装着中のマスクを取り外す際、簡単な取り扱いで取り外したマスクをマスク携帯ポーチに収納した上でマスク携帯ポーチを持ち運ぶことができるので、マスクを衛生的な状態に保ちつつ、利便性が高く携帯性に優れたマスク携帯ポーチを実現可能となる。
【図面の簡単な説明】
【００１０】
【図１】第１の実施例に係るマスク携帯ポーチ１を平面状に広げつつ、マスクＭを保持する状態の平面図である。
【図２】図１のマスク携帯ポーチ１及びマスクＭを一体的に折り畳んだ状態に関し、図２（Ａ）が図１と同様の平面図であり、図２（Ｂ）が図２（Ａ）を側面から見た側面図である。
【図３】第２の実施例に係るマスク携帯ポーチ１を平面状に広げつつ、マスクＭを保持する状態の平面図である。
【図４】図３のマスク携帯ポーチ１及びマスクＭを一体的に折り畳んだ状態に関し、図４（Ａ）が図２（Ａ）と同様の平面図であり、図４（Ｂ）が図２（Ｂ）と同様の側面図である。
【考案を実施するための形態】
【００１１】
以下、添付図面を参照しつつ、本考案を適用したマスク携帯ポーチの実施形態について説明する。
【００１２】
最初に、本考案を具体化したマスク携帯ポーチの第１の実施例について、図１及び図２を用いて説明する。図１は、第１の実施例に係るマスク携帯ポーチ１を平面状に広げつつ、マスクＭを保持する状態の平面図である。図２は、図１のマスク携帯ポーチ１及びマスクＭを一体的に折り畳んだ状態に関し、図２（Ａ）が図１と同様の平面図であり、図２（Ｂ）が図２（Ａ）を側面から見た側面図である。
【００１３】
図１に示すように、マスク携帯ポーチ１は、ポーチ本体部１０と、マスク保持部１１と、留め部１２とにより構成される。このうち、ポーチ本体部１０は、例えば、ＰＶＣ（Polyvinyl Chloride）樹脂などの柔軟かつ薄手の材料を用いてシート状に形成され、長方形の４つの角部を丸くした平面形状を有している。ポーチ本体部１０は、広げた状態で一般的なマスクのサイズに比べて十分大きなサイズとなっている。
【００１４】
ポーチ本体部１０の内面１０ａには、長手方向の中央位置Ｃから若干ずれた位置に細長い長方形状のマスク保持部１１が設けられている。マスク保持部１１は、ポーチ本体部１０の短手方向に沿って延伸し、その両端がポーチ本体部１０の内面１０ａの２カ所の端部に固定されている。この場合、マスク保持部１１とポーチ本体部１０との固定方法は多様であるが、例えば、接着剤を用いて接合する方法や、圧着等により固定する方法を挙げることができる。図１の例では、マスク本体部Ｍａは、ポーチ本体部１０に重ねた状態でマスク保持部１１を潜らせるように位置決めされ、マスク携帯ポーチ１からのマスクＭの逸脱あるいは落下が有効に防止される。また、マスクＭには、概ね長方形状のマスク本体部Ｍａの両端に１対の耳掛け部Ｍａが取り付けられている。
【００１５】
図１に示すように、ポーチ本体部１０のサイズは、マスク本体部Ｍａのサイズに比べて十分大きいため、マスク本体部Ｍａの長手方向をポーチ本体部１０の長手方向と概ね一致させた状態で、マスク本体部Ｍａが全体的にポーチ本体部１０の平面形状の範囲内にカバーされる配置になっている。ただし、マスク携帯ポーチ１の持ち運びの利便性を踏まえ、１対の耳掛け部Ｍｂは、マスク本体部Ｍａの平面形状の範囲外に配置することが望ましい。この場合の構造については後述する。
【００１６】
マスクＭとしては、使い捨ての不織布等のマスクか、再利用が前提の布マスクのいずれであってもよいが、医療用途などの立体型のマスクはフラットな配置が難しいので好ましくない。また、使用者が取り外した直後のマスクＭが立体的に不定形状であることも想定されるが、この場合には使用者が手で押すなどして、マスクＭをある程度フラットな状態にすれば、比較的容易にマスクＭを配置することができる。
【００１７】
ポーチ本体部１０の内面１０ａには、抗菌加工を施すことが望ましい。すなわち、マスク携帯ポーチ１にマスクＭを収納する際、マスクＭが内面１０ａに直接接触するので、抗菌加工によりマスクＭの汚染を防止して衛生的に保つことができる。なお、ポーチ本体部１０の外面１０ｂ（図２（Ａ）参照）はマスクＭが接触しないので、必ずしも抗菌加工を施す必要はない。
【００１８】
ポーチ本体部１０の長手方向の両端近傍には、１対の穴部Ｈ１、Ｈ２が形成されている。このうち、一方の穴部Ｈ１の近傍には、留め部１２が設けられている。留め部１２は、小型の略長方形で両端が丸みを帯びた平面形状を有する板状部材２０と、板状部材２０の一端のカシメ部材２１から構成される。板状部材２０は、比較的厚みがあって容易に曲げられる材料からなり、長手方向の対称的な２カ所に１対の穴部Ｈ３、Ｈ４が形成される。そして、前述のカシメ部材２１は、板状部材２０の穴部Ｈ４とポーチ本体部１０の穴部Ｈ１との両方を貫いている。カシメ部材２１の上端と下端は、穴部Ｈ１、Ｈ４より若干大きい径の金属部材からなり、カシメ部材２１を介して留め部１２がポーチ本体部１０に対して回転可能な状態で固定されている。
【００１９】
留め部１２の役割は、マスク携帯ポーチ１を持ち運びできるようにマスクＭを収納しつつ折り畳んだ状態に保つことにある。図２（Ａ）に示すように、折り畳んだ状態のマスク携帯ポーチ１は、ポーチ本体部１０が中央位置Ｃ（図１）で折り曲げられ、留め部１２がポーチ本体部１０とマスクＭを一体的に挟み込んだ状態で保持している。図２（Ａ）を側面から見ると、図２（Ｂ）に示すように、板状部材２０が上方に曲げられて先端の穴部Ｈ３が直下のカシメ部材２１に係合される状態にある。マスクＭは、ポーチ本体部１２の内面１０ａに沿って概ね中央で折り曲げられ、１対の耳掛け部Ｍｂのみが外部に露出し、マスク本体部Ｍａはポーチ本体部１２に覆われた状態にある。なお、前述のマスク保持部１１が図１の中央位置Ｃから若干ずれているため、ポーチ本体部１０を折り畳んだときにマスク保持部１１が嵩張らなくて済む。
【００２０】
図２（Ｂ）から理解できるように、板状部材２０の一方の穴部Ｈ３は、カシメ部材２１の上端側より若干小さい径であるため、カシメ部材２１から逸脱することなく安定的な係合状態とすることができる。なお、カシメ部材２１を側面から見ると、上端と下端よりも中央部の径が細いことがわかる。板状部材２０は柔軟性がある材料からなるため、板状部材２０をカシメ部材２１に係合する際には、留め部１２の先端を少し斜めにしながら穴部Ｈ３にカシメ部材２１を挿入すればよい。板状部材２０としては、繰り返し折り曲げる使用形態を踏まえると、ゴムや皮革などの柔軟性と耐久性を両立する材料を用いて形成することが望ましい。
【００２１】
図２のようにマスク携帯ポーチ１を折り畳むことで、使用者は、外部に露出した１対の耳掛け部Ｍｂを指にかけながら、マスクＭを収納したマスク携帯ポーチ１を手提げかばんのように扱って持ち運ぶことができる。マスクＭを収納したマスク携帯ポーチ１は、嵩張らず、かつ軽量であるため、良好な携帯性を実現することができる。また、マスク本体Ｍａが外部に露出することなくマスク携帯ポーチ１に収納されるので、携帯時にマスクＭを衛生的に保つことができる。なお、使用者が再びマスクＭを装着する際は、カシメ部材２１から板状部材２０を取り外せばよく、簡便な取り扱いが可能である。
【００２２】
マスク携帯ポーチ１にマスクＭが収納されない状態においても、マスク携帯ポーチ１をコンパクトに持ち運べることが望ましい。そのため、例えば、図１と同様にポーチ本体部１０を広げた状態で、穴部Ｈ２の側の端部からポーチ本体部１０を穴部Ｈ１の側の端部に向かって丸めてロール状にし、その状態で留め部１２をロール状のポーチ本体部１０に１周させて板状部材２０をカシメ部材２１に係合することができる。これにより、ロール状に巻き取ったポーチ本体部１０は非常にコンパクトな形態になるため、容易に手で握って取り扱うことができる。なお、マスクＭを収納した状態で上記のようにマスク携帯ポーチ１をロール状にして扱うこともできる。
【００２３】
次に、本考案を具体化したマスク携帯ポーチの第２の実施例について、図３及び図４を用いて説明する。図３は、第２の実施例に関し、図１と同様の平面図である。図４は、図３のマスク携帯ポーチ１及びマスクＭを一体的に折り畳んだ状態に関し、図４（Ａ）が図２（Ａ）と同様の平面図であり、図４（Ｂ）が図２（Ｂ）と同様の側面図である。
【００２４】
第２の実施例のマスク携帯ポーチ１のうち、ポーチ本体部１０とマスク保持部１１の基本的な構造については第１の実施例と共通であって、第１の実施例との相違は主に留め部１２の構造にある。よって、以下では、ポーチ本体部１０とマスク保持部１１についての説明の多くは省略するものとし、第２の実施例における留め部１２の構造と機能について具体的に説明する。
【００２５】
第２の実施例の留め部１２は、リング状の平面形状を有するリング状部材３０と、リング状部材３０の２カ所に取り付けられた１対の接続部材３１、３２と、それぞれの接続部材３１、３２に接続された１対のドットボタン３３、３４から構成される。リング状部材３０は、ゴム等の柔軟で容易に曲げられる材料からなり、一端が接続部材３１の内部に挟持され、他端が接続部材３２の内部に挟持されている。一方の接続部材３１には穴部Ｈ５が形成され、穴部Ｈ５を貫いて凹型ドットボタン３３が取り付けられている。また、他方の接続部材３２には穴部Ｈ６が形成され、穴部Ｈ６を貫いて凸型ドットボタン３４が取り付けられている。凹型ドットボタン３３は凹部が下方を向き（ポーチ本体部１０の外面１０ｂ側）、凸型ドットボタン３４は凸部が上方を向いている（ポーチ本体部１０の内面１０ａ側）。
【００２６】
図４（Ａ）に示すように、折り畳んだ状態のマスク携帯ポーチ１は、ポーチ本体部１０が図２（Ａ）と同様に折り曲げられて、留め部１２がポーチ本体部１０とマスクＭを一体的に挟み込んだ状態で保持している。なお、図４（Ａ）では、図２（Ａ）とは異なり、マスクＭの１対の耳掛け部Ｍｂは外部に露出せず、ポーチ本体部１０の内面１０ａ側に押し込まれている状態を想定する。そして、留め部１２は、接続部材３１の部分を持ちながら、リング状部材３０を１回ねじることで接続部材３１の上下を反転させた状態で、接続部材３１を接続部材３２に位置合わせし、凹型ドットボタン３３と凸型ドットボタン３４を勘合する。この際、図４（Ａ）、（Ｂ）に示すように、リング状部材３０は、図３とは異なり、２重のリング状となっている。よって、マスクＭを収納したマスク携帯ポーチ１を持ち運ぶ際には、リング状部材３０の２重のリング部分を指で持ちながら、容易に携帯することができる。
【００２７】
以上説明したように、第１及び第２の実施例で説明したマスク携帯ポーチ１により、使用者が装着中のマスクＭを取り外す場合であっても、マスクＭをポーチ本体部１０に適切に位置決めして、簡単な取り扱いでマスクＭを収納したポーチ本体部１０を留め部１２で固定し、そのまま持ち運ぶことができる。この場合、マスクＭは外部に露出していないことに加え、ポーチ本体部１０の内面１０ａの抗菌加工も相まって、マスクＭを常に衛生的に保つことができる。また、使用者がマスクＭを再び装着する際も、ポーチ本体部１０からマスクＭを容易に取り出すことができる。
【００２８】
以上、第１及び第２の実施例に基づき本考案の内容を具体的に説明したが、本考案は上述の各実施例に限定されるものではなく、その要旨を逸脱しない範囲で多様な変更を施すことができる。例えば、第１及び第２の実施例におけるマスク本体部１０、マスク保持部１１、留め部１２の構造や材料については、本考案に係るマスク携帯ポーチ１に必要な機能を実現し得る範囲内で、多様な変更が可能である。特に留め部１２の構造については、マスクＭをポーチ本体部１０に収納した状態を保持し得る多様な構造を適用可能である。
【符号の説明】
【００２９】
１…マスク携帯ポーチ
１０…ポーチ本体部
１１…マスク保持部
１２…留め部
２０…板状部材
２１…カシメ部材
３０…リング状部材
３０、３１…接続部材
３２、３１…ドットボタン
Ｍ…マスク
【図１】
0003228010.tif 000003
【図２】
0003228010.tif 000004
【図３】
0003228010.tif 000005
【図４】
0003228010.tif 000006